(57)【要約】【課題】  鍵の連打性を向上させ、深いストローク位置からでも連打による演奏を行うことができるアップライトピアノのアクションを提供する。【解決手段】  押鍵に伴い、ハンマー３を回動させることにより打弦を行わせるアップライトピアノのアクション１であって、鍵４の離鍵状態において、ハンマー３のバットに係合位置で係合するジャック７と、ジャック７から上方に延びるジャック側係合部３０と、ジャック側係合部３０に前方から対向するようにキャッチャー２３から下方に延びるキャッチャー側係合部３２と、を備え、キャッチャー側係合部３２およびジャック側係合部３０の少なくとも一方は板ばねで構成され、打弦後に復帰回動するハンマー３がバックチェック９に係止されたときに、ジャック側係合部３０にキャッチャー側係合部３２が係合することによって、ジャック７を係合位置側に付勢する。【選択図】  図４
2006201504.tif 000002
【特許請求の範囲】
【請求項１】
鍵の押鍵に伴って作動し、バットおよびキャッチャーを有するハンマーを回動させることにより打弦を行わせるアップライトピアノのアクションであって、
前記鍵の押鍵時に、当該鍵で突き上げられることによって上方に回動するウィッペンと、
上下方向に延び、前記ウィッペンに回動自在に設けられ、前記ハンマーを突き上げるために前記バットの下面に係合する係合位置と、当該バットから外れた離脱位置とに回動するジャックと、
前記鍵の押鍵に伴う前記ハンマーの回動中に、前記ジャックに係合し、当該ジャックを前記ウィッペンに対して前記離脱位置側に回動させることにより、前記ジャックを前記バットから離脱させるレギュレティングボタンと、
前記ウィッペンに設けられ、打弦後に復帰回動する前記ハンマーを、復帰回動の途中で前記キャッチャーを介して係止するバックチェックと、
前記ジャックに設けられ、上方に延びるジャック側係合部と、
前記キャッチャーに設けられ、前記鍵の離鍵状態において、前記ジャック側係合部に前方から対向するように下方に延びるキャッチャー側係合部と、
を備え、
前記キャッチャー側係合部および前記ジャック側係合部の少なくとも一方は板ばねで構成され、前記ハンマーが前記バックチェックに係止されたときに、前記ジャック側係合部に前記キャッチャー側係合部が係合することによって、前記ジャックを前記係合位置側に付勢することを特徴とするアップライトピアノのアクション。
【請求項２】
前記キャッチャー側係合部および前記ジャック側係合部の双方が板ばねで構成されていることを特徴とする請求項１に記載のアップライトピアノのアクション。
【請求項３】
前記ジャック側係合部および前記キャッチャー側係合部の少なくとも一方には緩衝材が設けられており、前記キャッチャー側係合部は、前記緩衝材を介して前記ジャック側係合部に係合することを特徴とする請求項１または２に記載のアップライトピアノのアクション。
【請求項４】
前記緩衝材は、前記ジャック側係合部および前記キャッチャー側係合部の双方に設けられ、皮革により構成されていることを特徴とする請求項３に記載のアップライトピアノのアクション。
【発明の詳細な説明】
【技術分野】
【０００１】
本発明は、鍵の押鍵に伴って作動し、ハンマーを回動させることにより打弦を行わせるアップライトピアノのアクションに関する。
【背景技術】
【０００２】
例えば、トリルを行う場合のように、鍵を連続して押鍵（連打）するときには、鍵が完全に離鍵状態に戻る前に、再度、押鍵することが繰り返される。しかし、このような鍵の連打を行った場合、アップライトピアノでは、以下に述べる理由から、演奏者の意図どおりの演奏を行えないことがある。
【０００３】
すなわち、連打以外の通常の押鍵の場合には、それに伴い、ハンマーは、その下端部のバットが、ウィッペンとともに回動するジャックの上端部によって突き上げられることにより回動する。ジャックは、押鍵の途中で、レギュレティングボタンによってウィッペンに対して回動させられることによりバットから離脱し、その直後に、ハンマーは弦を打弦することにより演奏音を発生させる。打弦後には、ジャックおよびハンマーは、押鍵時とはそれぞれ逆方向に回動し、さらに鍵が離鍵されることによって、ジャックの上端部がバットに係合した初期状態に復帰する。
【０００４】
これに対し、鍵を連打する場合には、ハンマーが、ジャックよりも早く復帰回動してしまい、それにより、ジャックがバットの側面に当接した状態になり、バットがジャックの復帰回動を妨げることがある。その場合、鍵をかなり戻さない限り、ウィッペンとともに回動するジャックの上端部がバットの下側に入り込むことができず、ジャックおよびバットを初期状態に復帰させることができないため、鍵を連打しても、ハンマーを適正に駆動できず、打弦が行えない。
【０００５】
このような不具合を解消するための従来のアップライトピアノのアクションとして、例えば特許文献１に開示されたものが知られている。このアクションは、通常のアップライトピアノのアクションと同様、鍵の押鍵に伴って回動するウィッペンと、ウィッペンに回動自在に取り付けられたジャックと、ウィッペンのジャックよりも前側に立設されたバックチェックワイヤを介して設けられたバックチェックと、離鍵状態において下端部にジャックの上端部が係合し、ジャックにより突き上げられ、打弦することによって演奏音を発生させるハンマーなどを備えている。また、ジャックとバックチェックワイヤの間には、押鍵時にジャックに係合し、ハンマーから離脱させるためのレギュレティングボタンが設けられている。また、ハンマーは、ジャックが係合するバット、およびその前面にキャッチャーシャンクを介して設けられたキャッチャーなどを有している。
【０００６】
ジャックは、上下方向に延びるハンマー突上げ部を有しており、その上端においてバットに係合している。このハンマー突上げ部の前面の上端部には、板ばねで構成された弾性部材が取り付けられており、この弾性部材は、離鍵状態において、ハンマー突上げ部から斜め上方に延び、キャッチャーの手前で斜め下方に折り曲げられ、キャッチャーの下端まで延びており、上面の前端部がキャッチャーの下面に当接している。
【０００７】
以上のようなアクションによれば、通常のアクションと同様、鍵の押鍵に伴い、ハンマーは、ジャックがバットから離脱した状態で弦を打弦するとともに、その後、弦の反発力により、押鍵時と反対方向に復帰回動し、バックチェックにより係止される。この状態から鍵を離鍵すると、ハンマーの係止状態が解除され、復帰回動を再開したハンマーのキャッチャーは、ジャックの弾性部材の前端部に当接するとともに弾性部材を押圧し、これを弾性変形させる。その際、弾性部材が前述したように折り曲げられていることにより、キャッチャーによる下方への押圧によって生じた弾性部材の付勢力の一部が、ジャックを復帰回動させる方向にハンマー突上げ部に作用するので、ジャックが復帰回動し、その上端部がバットに係合した状態に復帰する。以上のように、鍵が離鍵され、元の位置に戻る途中において、ジャックを、弾性部材の付勢力によって速やかにバットに係合させるので、鍵が離鍵状態に完全に復帰する前に、次の押鍵による打弦が可能な状態にすることができる。
【０００８】
しかし、上述した特許文献１のアクションには、以下のような問題がある。すなわち、ハンマーが係止された状態では、キャッチャーは弾性部材に当接していない。このため、鍵が離鍵されても、キャッチャーが弾性部材に当接し、これを押圧するまでの間、ジャックに弾性部材の付勢力が作用しないので、その分、ジャックが復帰回動を開始するタイミングが遅くなり、それに伴い、復帰回動のタイミングも遅くなるおそれがある。したがって、例えば、鍵がわずかに戻された深いストローク位置にあるところでの押鍵を繰り返すような連打を行う場合、ジャックがバットに係合するタイミングが押鍵よりも遅れ、その場合、押鍵したとしてもハンマーを適正に駆動できず、連打による演奏が行えないおそれがある。
【０００９】
本発明は、以上のような課題を解決するためになされたものであり、鍵の連打性を向上させ、深いストローク位置からでも連打による演奏を行うことができるアップライトピアノのアクションを提供することを目的としている。
を提供する。。
【００１０】
【特許文献１】特開昭５４−２７４１８号公報  （第５頁、第２，３図）
【発明の開示】
【課題を解決するための手段】
【００１１】
この目的を達成するために、本発明の請求項１に係る発明は、鍵の押鍵に伴って作動し、バットおよびキャッチャーを有するハンマーを回動させることにより打弦を行わせるアップライトピアノのアクションであって、鍵の押鍵時に、鍵で突き上げられることによって上方に回動するウィッペンと、上下方向に延び、ウィッペンに回動自在に設けられ、ハンマーを突き上げるためにバットの下面に係合する係合位置と、バットから外れた離脱位置とに回動するジャックと、鍵の押鍵に伴うハンマーの回動中に、ジャックに係合し、ジャックをウィッペンに対して離脱位置側に回動させることにより、ジャックをバットから離脱させるレギュレティングボタンと、ウィッペンに設けられ、打弦後に復帰回動するハンマーを、復帰回動の途中でキャッチャーを介して係止するバックチェックと、ジャックに設けられ、上方に延びるジャック側係合部と、キャッチャーに設けられ、鍵の離鍵状態において、ジャック側係合部に前方から対向するように下方に延びるキャッチャー側係合部と、を備え、キャッチャー側係合部およびジャック側係合部の少なくとも一方は板ばねで構成され、ハンマーがバックチェックに係止されたときに、ジャック側係合部にキャッチャー側係合部が係合することによって、ジャックを係合位置側に付勢することを特徴とする。
【００１２】
このアップライトピアノのアクションによれば、離鍵状態の鍵を押鍵すると、ウィッペンが、鍵によって突き上げられることにより上方に回動する。その際、ウィッペンに設けられたジャックおよびバックチェックが、ウィッペンと一緒に上方に移動し、ジャックは、ハンマーを突き上げることにより回動させる。このハンマーの回動中に、ジャックが、レギュレティングボタンに係合し、ウィッペンに対して回動することによってハンマーから離脱し、その後、ハンマーは、慣性により回動を続け、弦を打弦することによって演奏音が発生する。
【００１３】
弦を打弦したハンマーは、弦の反発力によって押鍵時とは逆方向に復帰回動し、その途中の係止位置で、バックチェックがハンマーを係止する（以下「バックストップ」という）。それにより、ハンマーのリバウンドが防止されるとともに復帰回動が一旦、停止される。また、ハンマーがバックストップされる際、キャッチャーから下方に延びるキャッチャー側係合部が、ジャックから上方に延びるジャック側係合部に係合する。キャッチャー側係合部は、離鍵状態においては、ジャック側係合部に前方から対向しており、両係合部の少なくとも一方が板ばねで構成されていることにより、ジャックは、板ばねの付勢力によって係合位置側に付勢された状態になる。
【００１４】
この状態から鍵が離鍵されると、バックチェックがウィッペンと一緒に下方に移動するのに伴い、ハンマーは係止状態が解除されて復帰回動を再開しようとする。また、ジャックもウィッペンと一緒に下降するので、ジャックは、レギュレティングボタンから離れ、板ばねの付勢力によって係合位置側に復帰回動を開始する。それにより、ジャックがハンマーの下方に速やかに入り込み、バットの下面に係合した状態に復帰することによって、再度の押鍵が可能な状態になるとともに、ハンマーの復帰回動が再開される。
【００１５】
以上のように、このアクションは、ハンマーが係止されたときには、ジャックに係合位置側への付勢力が作用した状態に維持され、鍵が離鍵された直後に、ジャックは、板ばねの付勢力によって速やかに復帰回動するので、ハンマーの復帰回動が再開するよりも早いタイミングでハンマーの下方に入り込むことができる。それにより、ジャックは、バットに妨げられることなくその下面に係合した状態に復帰することができる。したがって、例えばトリルを行う場合のように、同じ鍵が連続的に速く押鍵された場合であっても、また、深いストローク位置からの連打であっても、ジャックの動作を鍵の動作に遅れることなく確実に追随させることができるので、鍵の連打性を向上させることができる。
【００１６】
請求項２に係る発明は、請求項１に記載のアップライトピアノのアクションにおいて、キャッチャー側係合部およびジャック側係合部の双方が板ばねで構成されていることを特徴とする。
【００１７】
このアップライトピアノのアクションによれば、キャッチャー側係合部およびジャック側係合部が、ともに板ばねで構成されているので、ハンマーがバックストップされ、キャッチャー側係合部がジャック側係合部に係合した状態では、両係合部は、それぞれ撓むことによって互いに密着し、面接触することができ、ジャックは、両係合部の付勢力により、係合位置側に付勢された状態になる。これにより、両係合部の付勢力が確実にジャックに作用するので、鍵が離鍵されたときに、ジャックを確実かつ速やかに復帰回動させることができ、鍵の連打性を確実に向上させることができる。
【００１８】
請求項３に係る発明は、請求項１または２に記載のアップライトピアノのアクションにおいて、ジャック側係合部およびキャッチャー側係合部の少なくとも一方には緩衝材が設けられており、キャッチャー側係合部は、緩衝材を介してジャック側係合部に係合することを特徴とする。
【００１９】
このアップライトピアノのアクションによれば、ハンマーがバックストップされたときに、キャッチャー側係合部は、両係合部の少なくとも一方に設けられた緩衝材を介して、ジャック側係合部に係合する。それにより、両係合部が互いに係合したときに発生する雑音を抑制することができる。
【００２０】
請求項４に係る発明は、請求項３に記載のアップライトピアノのアクションにおいて、緩衝材は、ジャック側係合部およびキャッチャー側係合部の双方に設けられ、皮革により構成されていることを特徴とする。
【００２１】
このアップライトピアノのアクションによれば、ジャック側係合部およびキャッチャー側係合部の双方に、皮革で構成された緩衝材が設けられており、鍵が押鍵されたときに、両係合部は、両緩衝材を介して互いに係合する。それにより、両係合部が係合したときに生じる雑音を抑制することができる。また、両係合部の緩衝材はともに皮革で構成されていることと、ジャックに作用する板ばねの付勢力の反力がキャッチャーに作用することによって、ハンマーがバックストップされたときに緩衝材間に発生する摩擦力を、ハンマーをバックストップさせるための力として効果的に作用させることができる。すなわち、既存のバックチェックに加え、緩衝材間の摩擦力が作用することにより、ハンマーを係止位置に安定してバックストップさせることができる。
【発明を実施するための最良の形態】
【００２２】
以下、本発明の好ましい実施形態を、図面を参照しながら詳細に説明する。図１および２は、本発明によるアップライトピアノのアクション１、鍵盤２およびハンマー３などを、離鍵状態において示している。なお、以下の説明では、演奏者側から見たときのアップライトピアノの手前側を「前」、奥側を「後」として説明する。鍵盤２は、左右方向（図１の奥行方向）に並んだ多数の鍵４（１つのみ図示）によって構成されており、各鍵４は、前後方向（図１の左右方向）のほぼ中央において、筬５に立設されたバランスピン５ａに揺動自在に支持されている。
【００２３】
アクション１は、鍵盤２の後端部の上方において、筬５の左右端部にそれぞれ設けたブラケット（図示せず）に取り付けられ、両ブラケットの間に設けられている。アクション１は、ウィッペン６やジャック７などを有していて、これらは、鍵４ごとに設けられている（ともに１つのみ図示）。左右のブラケットの間には、センターレール１６およびハンマーレール１７などが渡されており、このセンターレール１６に鍵４ごとにねじ止めされたウィッペンフレンジ１２およびバットフレンジ２４に、ウィッペン６が後端部において、ハンマー３が下端部において、それぞれ回動自在に取り付けられている。
【００２４】
ウィッペン６は、例えば、合成樹脂や木材によって所定の形状に形成されており、その前部から下方に突出するヒール部６ａを有していて、対応する鍵４の上面後端部に設けたキャプスタンボタン４ａに、ヒール部６ａを介して載置されている。また、ウィッペン６の上面前端部には、バックチェックワイヤ９ａが立設されていて、その先端部にバックチェック９が取り付けられている。また、ウィッペン６の上面後端部には、後述するダンパー２５を駆動するためのスプーン１１が立設されている。また、このスプーン１１のすぐ前方には、前述したウィッペンフレンジ１２が配置されており、このウィッペンフレンジ１２の上部が、センターレール１６に固定されている。
【００２５】
ジャック７は、例えば、合成樹脂により構成されており、射出成形によって一体成形されている。また、図２に示すように、ジャック７は、前後方向に延びる基部７ａと、基部７ａの後端部から上方に延びるハンマー突上げ部７ｂを有している。ハンマー突上げ部７ｂの中央よりも若干、上側の部分には、ジャック側板ばね３０（ジャック側係合部）が取り付けられている。
【００２６】
ハンマー突上げ部７ｂの前面には、斜めにスリット（図示せず）が形成されており、このスリットにジャック側板ばね３０の下端部が挿入され、例えば接着により固定されている。このジャック側板ばね３０は、ハンマー突上げ部７ｂから上方に延びており、その上部がほぼ鉛直に延びるように撓んでいる。また、上部の前面には、ジャック側緩衝材３１（緩衝材）が貼り付けられており、このジャック側緩衝材３１は、例えば皮革により構成されている。
【００２７】
このようなジャック７は、その基部７ａとハンマ突上げ部７ｂとの角部において、ウィッペン６のバックチェックワイヤ９ａよりも後方の位置に回動自在に取り付けられている。また、基部７ａとウィッペン６の間には、ジャックスプリング１０が取り付けられている。このジャックスプリング１０は、コイルばねで構成され、押鍵時に、後述するようにジャック７を付勢するためのものであり、所定のばね力を有している。
【００２８】
ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５とを介して、鍵４ごとに設けられている（１つのみ図示）。
【００２９】
ハンマー３は、バット２０、ハンマーシャンク２１、およびハンマーヘッド２２などを有している。バット２０は、その下端部において、前述したバットフレンジ２４に回動自在に取り付けられており、それにより、ハンマー３が回動自在になっている。また、バットフレンジ２４は、その下端部においてセンターレール１６に固定されている。ハンマーシャンク２１は、バット２０に立設されており、その上端部にハンマーヘッド２２が取り付けられていて、図１に示す離鍵状態では、ハンマーシャンク２１がハンマーレール１７に後方から当接し、ハンマーヘッド２２が鉛直に張られた後方の弦Ｓに対向している。また、バット２０の前面には、キャッチャー２３が設けられている。このキャッチャー２３は、棒状に形成され、バックチェック９に向かって延びるキャッチャーシャンク２３ａと、その前端部に取り付けられたキャッチャー本体２３ｂを有している。また、キャッチャーシャンク２３ａには、キャッチャー側板ばね３２（キャッチャー側係合部）が設けられている。
【００３０】
キャッチャー本体２３ｂは、前述したバックチェック９の後方に位置し、これと対向している。また、バット２０とハンマーシャンク２１の間には、バットスプリング２０ａが設けられており、これにより、ハンマー３が図１の時計方向に付勢されている。また、この離鍵状態では、前述したジャック７のハンマー突上げ部７ｂは、係合位置において、バット２０の下面の前端部で構成される被突上げ部２０ｂに下方から係合している。
【００３１】
キャッチャーシャンク２３ａのキャッチャー本体２３ｂよりも若干、後方の下側の部分には、スリット（図示せず）が形成されており、このスリットにキャッチャー側板ばね３２の上端部が挿入され、例えば接着により固定されている。このキャッチャー側板ばね３２は、キャッチャーシャンク２３ａから下方に向かって、前述したジャック側板ばね３０の前方まで延びており、後面の下部に、キャッチャー側緩衝材３３（緩衝材）が貼り付けられている。このキャッチャー側緩衝材３３は、例えば皮革により構成されており、ジャック側緩衝材３１に前方から対向している。
【００３２】
また、アクション１の後方には、ダンパー２５が鍵４ごとに設けられている（１つのみ図示）。ダンパー２５は、ダンパーフレンジ２５ｂを介してセンターレール１６に回動自在に取り付けられたダンパーレバー２５ｃと、ダンパーレバー２５ｃの上側にダンパーワイヤ２５ｄを介して取り付けられたダンパーヘッド２５ａと、ダンパー２５を弦Ｓ側に付勢するダンパーレバースプリング２５ｅなどで構成されている。このダンパー２５は、離鍵時に、ダンパーレバースプリング２５ｅの付勢力によって、ダンパーヘッド２５ａが弦Ｓに当接することにより止音するためのものである。
【００３３】
以下、上述したアクション１およびハンマー３などの押鍵の開始から終了までの一連の動作について説明する。演奏者により、図１の離鍵状態から鍵４が押鍵されると、鍵４は、バランスピン５ａを中心として図１の時計方向に回動し、その後端部に載置されたウィッペン６は、鍵４によって突き上げられることにより、上方（反時計方向）に回動する。このウィッペン６の回動に伴い、ウィッペン６に設けられたジャック７およびバックチェック９などが一緒に移動し、ハンマー３は、そのバット２０がジャック７のハンマー突上げ部７ｂによって突き上げられることにより、後方の弦Ｓに向かって反時計方向に回動する。
【００３４】
ウィッペン６が所定の角度、回動したときに、ジャック７の基部７ａの前端部が、レギュレティングボタン１３に下方から当接する。ウィッペン６がさらに回動するのに従い、ジャック７は、レギュレティングボタン１３によって上方への移動が規制されることにより、ジャックスプリング１０の付勢力に抗してウィッペン６に対して時計方向に回動する。
【００３５】
さらに押鍵が進み、ジャック７の基部７ａが、レギュレティングボタン１３に当接した状態でさらに時計方向に回動することにより、ハンマー突上げ部７ｂが、バット２０から前方に外れ、ハンマー３から離脱することにより離脱位置側にウィッペン６に対して回動する。これにより、鍵４のタッチ重さからハンマー３の重量分が急激に失われることにより、演奏者にレットオフ感が付与される。ハンマー３は、ジャック７が離脱した後も慣性によって回動し、弦Ｓを打弦することにより振動させることによって、演奏音を発生させる。そして、ハンマー３は、弦Ｓの反発力によって、時計方向への復帰回動を開始する。
【００３６】
ハンマー３は、復帰回動する途中において、バックチェック９に次のようにして係止される。ハンマー３の復帰回動に伴い、キャッチャー本体２３ｂは、バックチェック９に向かって上方から接近する。このとき、バックチェック９は、押鍵に伴ってウィッペン６と一緒に上方にすでに移動しており、このようなバックチェック９の後面に、キャッチャー本体２３ｂの前面が当接する。これにより、バックチェック９は、キャッチャー本体２３ｂを押圧することによって、キャッチャー本体２３ｂを係止しようとする。
【００３７】
また、キャッチャー本体２３ｂが上記のようにバックチェック９に当接する直前において、ジャック側板ばね３０にキャッチャー側板ばね３２が、ジャック側およびキャッチャー側緩衝材３１，３３を介して当接する。具体的には、まず、ハンマー３が復帰回動するのに伴い、図３に示すように、下方に移動するキャッチャー側緩衝材３３の後面の下端部が、押鍵に伴い上方に移動した状態のジャック側緩衝材３１の前面上端部に衝突し、これを押圧する。その際、両緩衝材３１，３３により、衝突に起因する雑音の発生が抑制される。ハンマー３がさらに復帰回動するのに伴い、キャッチャー側緩衝材３３が、ジャック側緩衝材３１を押圧しながら、その前面に沿って下方に摺動し、ハンマー３は、最終的に図４に示す係止位置において停止する。このキャッチャー側緩衝材３３の摺動中、両板ばね３０，３２は押圧し合うので、両板ばね３０，３２の付勢力により、両緩衝材３１，３３は、互いに面接触するとともに密着した状態に維持され、キャッチャー側緩衝材３３が下方に移動するにつれて、両板ばね３０，３２は、互いに離れ合う方向に次第に撓む。また、キャッチャー側緩衝材３３の摺動中、両板ばね３０，３２の付勢力により、両緩衝材３１，３３の間には摩擦力が作用し、この摩擦力は、復帰回動するハンマー３に対する制動力として作用する。
【００３８】
以上のように、バックチェック９がキャッチャー本体２３ｂを押圧するとともに、キャッチャー側板ばね３２がジャック側板ばね３０に係合することにより、ハンマー３のバックストップが行われる。それにより、ハンマー３は、図４に示す係止位置において係止され、その復帰回動が一旦、停止させられることによって、ハンマー３のリバウンドが防止される。また、このようにハンマー３が係止された状態では、ジャック７は、両板ばね３０，３２の付勢力が作用することにより、係合位置側に付勢された状態に維持される。
【００３９】
押鍵が終了し、鍵４が離鍵され始めると、ウィッペン６が押鍵時とは逆方向に復帰回動を開始するのに伴い、バックチェック９がキャッチャー本体２３ｂから離脱することにより、ハンマー３の係止状態が解除される。それにより、ハンマー３は、バットスプリング２０ａの付勢力により、復帰回動を再開しようとする。また、ジャック７は、ウィッペン６と一緒にほぼ下方に移動することにより、ジャックスプリング１０、およびジャック側並びにキャッチャー側板ばね３０，３２の付勢力によって、ウィッペン９に対して押鍵時と逆に反時計方向に復帰回動し、以下のような動作を行う。すなわち、ジャック７がウィッペン６と一緒に下方に移動し始めることにより、ジャック７の基部７ａがレギュレティングボタン１３から離れ始める。その際、ジャック７に作用する両板ばね３０，３２の付勢力の反力がキャッチャー２３に作用することによって、すなわち両板ばね３０，３２の間に作用している摩擦力により、ハンマー３が支持されることで、ハンマー３は、急な復帰回動を阻止される。一方、ジャック７は、ジャックスプリング１０、および両板ばね３０，３２の付勢力によって、速やかに復帰回動する。
【００４０】
それにより、ジャック側板ばね３０がキャッチャー側板ばね３２から離脱し、ハンマー突上げ部７ｂが、バット２０に邪魔されることなくその下側に入り込み、ハンマー突上げ部７ｂの上端部が、バット２０の被突上げ部２０ｂに下方から係合することによって、ハンマー３の再度の突上げが可能な状態になる。また、ジャック側板ばね３０がキャッチャー側板ばね３２から離脱することにより、ハンマー３の復帰回動に対する抵抗が消失することによって、ハンマー３は復帰回動を再開する。そして、鍵４などの復帰回動がさらに進むことにより、ハンマー３のハンマーシャンク２１が、ハンマーレール１７に当接することによって、その復帰回動が終了するとともに、ウィッペン６およびジャック７などが、完全に離鍵状態に復帰し、押鍵時および離鍵時の一連の動作が終了する。
【００４１】
また、例えば、トリルを行う場合のように、同じ鍵４を連打する場合には、鍵４は、離鍵された後、離鍵状態に完全に復帰する前に再度、押鍵される。前述したように、復帰回動の途中で鍵４が深いストローク位置から若干、戻されたときに、ジャック７のハンマー突上げ部７ｂがバット２０の被突上げ部２０ｂに下方から係合することで、再度の押鍵が可能な状態になるので、そのような状態で押鍵を繰り返すことによって、深いストローク位置からの鍵４の連打を行うことができる。
【００４２】
以上のように、この実施形態のアクション１では、ハンマー３が係止されたときに、ジャック７が係合位置側への付勢力が作用した状態に維持されることによって、鍵４が離鍵された直後の若干、戻されたときに、ジャック７は、既存のジャックスプリング１０、およびジャック側板ばね３０並びにキャッチャー側板ばね３２の付勢力によって速やかに復帰回動する。それにより、ハンマー３の復帰回動が再開するよりも早いタイミングでジャック７がハンマー３の下方に入り込むことができるので、ジャック７は、バット２０に妨げられることなくその下面の被係合部２０ｂに係合した状態に復帰することができる。したがって、例えばトリルを行う場合のように、同じ鍵４が連続的に速く押鍵された場合であっても、また、深いストローク位置からの連打であっても、ジャック７の動作を鍵４の動作に遅れることなく確実に追随させることができるので、鍵４の連打性を向上させることができる。
【００４３】
また、ハンマー３がバックストップされ、キャッチャー側板ばね３２がジャック側板ばね３０に係合した状態では、両板ばね３０，３２は、それぞれ撓むことによって両緩衝材３１，３３が互いに密着し、面接触することができ、ジャック７は、両板ばね３０，３２の付勢力により、係合位置側に付勢された状態になる。これにより、両板ばね３０，３２の付勢力が確実にジャック７に作用するので、鍵４が離鍵されたときに、ジャック７を確実かつ速やかに復帰回動させることができ、鍵４の連打性を確実に向上させることができる。
【００４４】
また、ハンマー３がバックストップされたときに、キャッチャー側板ばね３２は、両板ばね３０，３２にそれぞれ設けられたジャック側およびキャッチャー側緩衝材３１，３３を介して、ジャック側板ばね３０に係合する。それにより、両板ばね３０，３１が互いに係合したときに発生する雑音を抑制することができる。
【００４５】
また、両緩衝材３１，３３が皮革で構成されていることと、ジャック７に作用する両板ばね３０，３２の付勢力の反力が、キャッチャー２３に作用することから、ハンマー３がバックストップされたときに、両緩衝材３１，３３の間に発生する摩擦力を、ハンマー３をバックストップさせるための力として効果的に作用させることができる。すなわち、既存のバックチェック９に加え、両緩衝材３１，３３の間に摩擦力が作用することにより、ハンマー３を係止位置に安定してバックストップさせることができる。
【００４６】
なお、本発明は、説明した実施形態に限定されることなく、種々の態様で実施することができる。例えば、実施形態では、ジャック７およびキャッチャー２３の双方に板ばねを設けることにより、ハンマー３がバックストップされた状態でジャック７に係合位置側への付勢力が作用するようにしているが、これに限定されることなく、一方のみに板ばねを設けるとともに、他方には、板ばねに代えて、例えば、他の弾性体や、板ばねと係合したときにそれによる付勢力が作用するような剛体を設けてもよい。また、実施形態では、キャッチャーシャンク２３ａにキャッチャー側板ばね３２を設けているが、キャッチャー本体２３ｂに設けてもよい。また、実施形態では、ジャック側板ばね３０およびキャッチャー側板ばね３２の双方に緩衝材を設けているが、いずれか一方のみに設けるようにしてもよい。
【００４７】
さらに、実施形態では、緩衝材として皮革を用いているが、これに限定されることなく、他の緩衝材、例えば、フェルトなどの繊維材料を用いてもよい。また、実施形態で示したウィッペンやジャックなどの各構成部品の材質などは、あくまで例示であり、他の適当な材質を採用することが可能である。その他、細部の構成を、本発明の趣旨の範囲内で適宜、変更することが可能である。
【図面の簡単な説明】
【００４８】
【図１】本発明の実施形態によるアクションなどを、離鍵状態において示す側面図である。
【図２】図１のアクションのジャックおよびキャッチャーなどの付近を、離鍵状態において示す部分拡大図である。
【図３】図１のアクションのジャックおよびキャッチャーなどの付近を、ハンマーがバックストップされる直前において示す部分拡大図である。
【図４】図１のアクションのジャックおよびキャッチャーなどの付近を、ハンマーが係止された状態において示す部分拡大図である。
【符号の説明】
【００４９】
１    アクション
２    鍵盤
３    ハンマー
４    鍵
６    ウィッペン
７    ジャック
７ｂ  ハンマー突上げ部
９    バックチェック
１３    レギュレティングボタン
２０    バット
２３    キャッチャー
３０    ジャック側板ばね（板ばね）
３１    ジャック側緩衝材（緩衝材）
３２    キャッチャー側板ばね（板ばね）
３３    キャッチャー側緩衝材（緩衝材）
【図１】
2006201504.tif 000003
【図２】
2006201504.tif 000004
【図３】
2006201504.tif 000005
【図４】
2006201504.tif 000006